(57)【要約】  パワーセービングモードで作動する受信装置に対して、ＴＸＯＰデュレーション中に送信するストリームがない場合、該当する受信装置の動作状態をアウェイク状態からスリープ状態に変更して消費電力を減少させることのできる送信装置及び受信装置の通信方法を提供する。【選択図】図２
2013522947.tif 000002
【特許請求の範囲】
【請求項１】
アクティブモードで作動する受信装置において、
送信機会（ＴＸＯＰ：Ｔｒａｎｓｍｉｓｓｉｏｎ  Ｏｐｐｏｒｔｕｎｉｔｙ）中にパワー管理モードをパワーセービングモードに設定するステップと、
送信装置から送信された情報を受信するステップと、
前記送信装置から送信された情報に基づいて予め設定された条件が満たされるか否かを判断することによって前記受信装置の動作状態を決定するステップと、を有し、
前記少なくとも１つの受信装置に対応するストリームは、前記ＴＸＯＰ中に前記送信装置から同時に送信されることを特徴とする受信装置の通信方法。
【請求項２】
前記受信装置の動作状態を決定するステップは、前記送信装置から送信された情報に基づいて前記予め設定された条件が満たされた場合、前記受信装置の動作状態をアウェイク状態からスリープ状態に変更するステップを含むことを特徴とする請求項１に記載の受信装置の通信方法。
【請求項３】
前記送信装置から送信される情報は、前記受信装置を含むグループのグループＩＤ、前記ＴＸＯＰ中に前記送信装置から前記受信装置に送信されるデータストリームが存在するか否かに関する情報、及び前記受信装置に送信される追加的なストリームが存在するか否かを示す情報のうちの少なくとも１つであることを特徴とする請求項１に記載の受信装置の通信方法。
【請求項４】
前記予め設定された条件は、第１条件、第２条件、及び第３条件を含み、
前記受信装置がグループＩＤのグループに含まれていない場合、前記第１条件が満たされ、
前記受信装置が前記グループＩＤのグループに含まれ、前記ＴＸＯＰ中に前記送信装置から前記受信装置に送信されるデータストリームがない場合、前記第２条件が満たされ、
前記ＴＸＯＰ中に前記受信装置に送信される追加的なストリームがこれ以上存在しないことを示す指示子を受信した場合、前記第３条件が満たされることを特徴とする請求項１に記載の受信装置の通信方法。
【請求項５】
前記送信装置から送信された各フレームに含まれるイネーブリングビット（ｅｎａｂｌｉｎｇ  ｂｉｔ）を用い、前記第１条件及び前記第２条件に基づいて前記受信装置の動作状態を変更するか否かを選択的に決定するステップを更に含むことを特徴とする請求項４に記載の受信装置の通信方法。
【請求項６】
前記受信装置が前記パワーセービングモードで作動しようとする場合、前記送信装置に、前記パワー管理モードを前記パワーセービングモードに設定したフレームを送信するステップと、
前記送信装置から、前記パワー管理モードが前記パワーセービングモードに設定されたフレームに応答するＡＣＫ（ａｃｋｎｏｗｌｅｄｇｍｅｎｔ）を受信するステップと、を更に含み、
前記パワー管理モードをパワーセービングモードに設定するステップは、前記ＡＣＫを受信することによって前記ＴＸＯＰデュレーションでの前記パワー管理モードを前記パワーセービングモードに設定するステップであることを特徴とする請求項１に記載の受信装置の通信方法。
【請求項７】
前記送信装置から、前記ＴＸＯＰデュレーションに関連する情報を含むＴＸＯＰ設定フレームを受信するステップを更に含み、
前記ＴＸＯＰ設定フレームは、前記パワー管理モードをパワーセービングモードに設定した受信装置及び前記パワー管理モードを前記パワーセービングモードに設定していない受信装置の両方で復号化されるように生成されることを特徴とする請求項１に記載の受信装置の通信方法。
【請求項８】
前記ＴＸＯＰ設定フレームに基づいて前記受信装置が前記ストリームを受信することができるか否かを判断するステップと、
前記判断結果に基づいて前記ＴＸＯＰ設定フレームに対する応答フレームを送信するステップと、を更に含むことを特徴とする請求項７に記載の受信装置の通信方法。
【請求項９】
前記指示子に基づき該当ストリームの受信を終了した後、又は該当ストリームに対するブロックＡＣＫ（Ｂｌｏｃｋ  ＡＣＫ）を送信した後に前記ＴＸＯＰデュレーションのうちの残りの時間に前記受信装置の動作状態をスリープ状態に保持するステップを更に含むことを特徴とする請求項４に記載の受信装置の通信方法。
【請求項１０】
チャネルに対する送信機会（ＴＸＯＰ：Ｔｒａｎｓｍｉｓｓｉｏｎ  Ｏｐｐｏｒｔｕｎｉｔｙ）を取得するステップと、
パワー管理モードとしてアクティブモードを有する受信装置に対応するストリームを保持するステップと、
前記受信装置のそれぞれの動作状態を決定するために用いられる情報を送信するステップと、
前記ＴＸＯＰ中に前記受信装置のうちの少なくとも１つに前記ストリームを同時に送信するステップと、を有することを特徴とする送信装置の通信方法。
【請求項１１】
前記受信装置のそれぞれの動作状態を決定するために用いられる情報は、前記受信装置のそれぞれを含むグループのグループＩＤ、前記ＴＸＯＰ中に前記送信装置から前記受信装置のそれぞれに送信されるデータストリームが存在するか否かに関する情報、前記受信装置のそれぞれに送信される追加的なストリームが存在するか否かを示す情報のうちの少なくとも１つを含むことを特徴とする請求項１０に記載の送信装置の通信方法。
【請求項１２】
前記パワー管理モードとしてアクティブモードを有する受信装置のうちのパワーセービングモードで作動しようとする受信装置から前記パワー管理モードがパワーセービングモードに設定されたフレームを受信するステップと、
前記受信装置に、前記パワー管理モードが前記パワーセービングモードに設定されたフレームに応答するＡＣＫ（ａｃｋｎｏｗｌｅｄｇｍｅｎｔ）を送信するステップと、を更に含むことを特徴とする請求項１０に記載の送信装置の通信方法。
【請求項１３】
予め設定された条件を満たす受信装置が前記ＴＸＯＰの残りの時間に動作状態をスリープ状態に保持するように前記受信装置に対応するストリームの送信を停止するステップを更に含むことを特徴とする請求項１０に記載の送信装置の通信方法。
【請求項１４】
前記予め設定された条件は、第１条件、第２条件、及び第３条件を含み、
前記受信装置がグループＩＤのグループに含まれていない場合、前記第１条件が満たされ、
前記受信装置が前記グループＩＤのグループに含まれ、前記ＴＸＯＰ中に前記送信装置から前記受信装置に送信されるデータストリームがない場合、前記第２条件が満たされ、
前記ＴＸＯＰ中に前記受信装置に送信される追加的なストリームがこれ以上存在しないことを示す指示子を受信した場合、前記第３条件が満たされることを特徴とする請求項１３に記載の送信装置の通信方法。
【請求項１５】
前記受信装置が前記第１条件及び前記第２条件に基づいて該受信装置の動作状態を変更するか否かを選択的に決定できるようにするイネーブリングビットが含まれるフレームを送信するステップを更に含むことを特徴とする請求項１４に記載の送信装置の通信方法。
【請求項１６】
前記ＴＸＯＰ中に前記受信装置に送信される追加的なストリームがこれ以上存在しないことを示す指示子を生成するステップを更に含むことを特徴とする請求項１０に記載の送信装置の通信方法。
【請求項１７】
前記指示子を生成するステップは、前記受信装置に送信されるパケットのプリアンブル又は前記受信装置に送信されるＭＡＣフレームのヘッダを用いて前記受信装置に送信される追加的なストリームがこれ以上存在しないことを示す指示子を生成するステップであることを特徴とする請求項１６に記載の送信装置の通信方法。
【請求項１８】
前記ＴＸＯＰの残りの時間の間に受信状態にするための送信するストリームが発生した場合、前記スリープ状態にある受信装置に送信するストリームをバッファリングするステップを更に含むことを特徴とする請求項１３に記載の送信装置の通信方法。
【請求項１９】
前記受信装置に、前記ＴＸＯＰデュレーションに関連する情報を含むＴＸＯＰ設定フレームを送信するステップを更に含み、
前記ＴＸＯＰ設定フレームは、前記パワー管理モードをパワーセービングモードに設定した受信装置及び前記パワー管理モードを前記パワーセービングモードに設定していない受信装置の両方で復号化されるように生成されることを特徴とする請求項１０に記載の送信装置の通信方法。
【請求項２０】
送信機会（ＴＸＯＰ：Ｔｒａｎｓｍｉｓｓｉｏｎ  Ｏｐｐｏｒｔｕｎｉｔｙ）中にパワー管理モードをパワーセービングモードに設定するステップと、
送信装置から送信された情報を受信するステップと、
前記送信装置から送信された情報に基づいて予め設定された条件が満たされるか否かを判断することによって前記受信装置の動作状態を決定するステップと、を有し、
前記少なくとも１つの受信装置に対応するストリームは、前記ＴＸＯＰ中に前記送信装置から同時に送信される受信装置の通信方法を、コンピュータに実行させるためのプログラム命令を記録したコンピュータ読み取り可能な記録媒体。
【請求項２１】
送信装置の送信機会（ＴＸＯＰ：ｔｒａｎｓｍｉｓｓｉｏｎ  ｏｐｐｏｒｔｕｎｉｔｙ）中に作動するパワー管理モードを決定することのできる受信装置であって、
前記受信装置がパワーセービングモード（ＴＸＯＰ  ＰＳ  ｍｏｄｅ）及びノン−パワーセービングモード（ｎｏｎ−ＴＸＯＰ  ＰＳ  ｍｏｄｅ）で作動するか否かを決定する制御部と、
前記受信装置が前記パワーセービングモード又は前記ノン−パワーセービングモードで作動しようとするか否かを示すフレームを前記送信装置に送信する送信部と、を備えることを特徴とする受信装置。
【請求項２２】
前記制御部は、前記受信装置が前記パワーセービングモードで作動するか否かの決定に応答し、前記パワーセービングモードで作動しようとする前記受信装置を示す前記フレームのパワー管理フィールドを設定することを特徴とする請求項２１に記載の受信装置。
【請求項２３】
前記フレームはアソシエーション要求フレーム（ａｓｓｏｃｉａｔｉｏｎ  ｒｅｑｕｅｓｔ  ｆｒａｍｅ）であり、
前記制御部は、前記受信装置が前記パワーセービングモード（ＴＸＯＰ  ＰＳ  ｍｏｄｅ）又は前記ノン−パワーセービングモード（ｎｏｎ−ＴＸＯＰ  ＰＳ  ｍｏｄｅ）で作動しようとするか否かを示す前記アソシエーション要求フレームの性能／サポート（ｃａｐａｂｉｌｉｔｉｅｓ／ｓｕｐｐｏｒｔ）フィールドを設定することを特徴とする請求項２１に記載の受信装置。
【請求項２４】
送信部から送信された前記アソシエーション要求フレームに応答して前記送信装置からＡＣＫ（ａｃｋｎｏｗｌｅｄｇｍｅｎｔ）を受信する受信部を更に備えることを特徴とする請求項２１に記載の受信装置。
【請求項２５】
前記制御部は、前記受信部が前記送信装置から前記ＡＣＫを受信した場合、前記受信装置の前記パワー管理モードを前記パワーセービングモード（ＴＸＯＰ  ＰＳ  ｍｏｄｅ）に設定し、
前記制御部は、前記受信部が前記送信装置から前記ＡＣＫを受信しない場合、前記受信装置の前記パワー管理モードを前記ノン−パワーセービングモード（ｎｏｎ−ＴＸＯＰ  ＰＳ  ｍｏｄｅ）に設定することを特徴とする請求項２４に記載の受信装置。
【請求項２６】
送信機会（ＴＸＯＰ：ｔｒａｎｓｍｉｓｓｉｏｎ  ｏｐｐｏｒｔｕｎｉｔｙ）中に複数の端末にデータを送信する送信装置であって、
パワー管理モードがパワーセービングモード（ＴＸＯＰ  ＰＳ  ｍｏｄｅ）に設定されたフレームを受信する受信部と、
前記送信装置が前記パワーセービングモードをサポートできるか否かを決定する制御部と、
前記送信装置が前記パワーセービングモードをサポートできるか否かの決定に応答して、前記受信装置にＡＣＫ（ａｃｋｎｏｗｌｅｄｇｍｅｎｔ）メッセージを送信する送信部と、を備えることを特徴とする送信装置。
【請求項２７】
前記フレームはアソシエーション要求フレーム（ａｓｓｏｃｉａｔｉｏｎ  ｒｅｑｕｅｓｔ  ｆｒａｍｅ）であり、
前記アソシエーション要求フレームの性能／サポート（ｃａｐａｂｉｌｉｔｉｅｓ／ｓｕｐｐｏｒｔ）フィールドは、前記受信装置がパワーセービングモード（ＴＸＯＰ  ＰＳ  ｍｏｄｅ）で作動しようとすることを示すように設定されることを特徴とする請求項２６に記載の送信装置。
【発明の詳細な説明】
【技術分野】
【０００１】
本発明は、送信装置及び受信装置の通信方法に関する。
【背景技術】
【０００２】
最近、スマートフォンのような移動端末の性能の急速な発展に伴い、１つの端末によって、電話通話だけでなく、動画、音楽ファイル再生、ＤＭＢ（ｄｉｇｉｔａｌ  ｍｕｌｔｉｍｅｄｉａ  ｂｒｏａｄｃａｓｔｉｎｇ）視聴、デジタルカメラ、ブルートゥース（登録商標）、無線インターネット接続などを含む多様な機能を同時に実行できるようになった。また、移動通信網、ブルートゥース（登録商標）、無線インターネットなどのデータ送信速度の急速な増加に伴って端末の電力消費も増加している。これによって各端末が高容量のバッテリを採用することは勿論、端末の消費電力を節減することのできる通信方法が求められている。
【発明の概要】
【発明が解決しようとする課題】
【０００３】
本発明は、上記従来の問題点に鑑みてなされたものであって、本発明の目的は、パワーセービングモードへの動作有無を選択できるようにする送信装置及び受信装置とその通信方法を提供することにある。
また、本発明の目的は、パワーセービングモードで作動する受信装置に対応するストリームが存在しない場合、スリープ状態に保持することによって受信待機電力を減少させる送信装置及び受信装置とその通信方法を提供することにある。
また、本発明の目的は、パワーセービングモードで作動する受信装置が予め設定された条件が満たされた場合に該当する受信装置の動作状態をアウェイク状態からスリープ状態に変更することによって電力消耗を減少させる送信装置及び受信装置とその通信方法を提供することにある。
【課題を解決するための手段】
【０００４】
上記目的を達成するためになされた本発明の一態様による受信装置の通信方法は、アクティブモードで作動する受信装置において、送信機会（ＴＸＯＰ：Ｔｒａｎｓｍｉｓｓｉｏｎ  Ｏｐｐｏｒｔｕｎｉｔｙ）中にパワー管理モードをパワーセービングモードに設定するステップと、送信装置から送信された情報を受信するステップと、前記送信装置から送信された情報に基づいて予め設定された条件が満たされるか否かを判断することによって前記受信装置の動作状態を決定するステップと、を有し、前記少なくとも１つの受信装置に対応するストリームは、前記ＴＸＯＰ中に前記送信装置から同時に送信される。
【０００５】
前記受信装置の動作状態を決定するステップは、前記送信装置から送信された情報に基づいて前記予め設定された条件が満たされた場合、前記受信装置の動作状態をアウェイク状態からスリープ状態に変更するステップを含み得る。
前記送信装置から送信される情報は、前記受信装置を含むグループのグループＩＤ、前記ＴＸＯＰ中に前記送信装置から前記受信装置に送信されるデータストリームが存在するか否かに関する情報、及び前記受信装置に送信される追加的なストリームが存在するか否かを示す情報のうちの少なくとも１つであり得る。
前記予め設定された条件は、第１条件、第２条件、及び第３条件を含み、前記受信装置がグループＩＤのグループに含まれていない場合、前記第１条件が満たされ、前記受信装置が前記グループＩＤのグループに含まれ、前記ＴＸＯＰ中に前記送信装置から前記受信装置に送信されるデータストリームがない場合、前記第２条件が満たされ、前記ＴＸＯＰ中に前記受信装置に送信される追加的なストリームがこれ以上存在しないことを示す指示子を受信した場合、前記第３条件が満たされ得る。
前記受信装置の通信方法は、前記送信装置から送信された各フレームに含まれるイネーブリングビット（ｅｎａｂｌｉｎｇ  ｂｉｔ）を用い、前記第１条件及び前記第２条件に基づいて前記受信装置の動作状態を変更するか否かを選択的に決定するステップを更に含み得る。
前記受信装置の通信方法は、前記受信装置が前記パワーセービングモードで作動しようとする場合、前記送信装置に、前記パワー管理モードを前記パワーセービングモードに設定したフレームを送信するステップと、前記送信装置から、前記パワー管理モードが前記パワーセービングモードに設定されたフレームに応答するＡＣＫ（ａｃｋｎｏｗｌｅｄｇｍｅｎｔ）を受信するステップと、を更に含み、前記パワー管理モードをパワーセービングモードに設定するステップは、前記ＡＣＫを受信することによって前記ＴＸＯＰデュレーションでの前記パワー管理モードを前記パワーセービングモードに設定するステップであり得る。
前記受信装置の通信方法は、前記送信装置から、前記ＴＸＯＰデュレーションに関連する情報を含むＴＸＯＰ設定フレームを受信するステップを更に含み、前記ＴＸＯＰ設定フレームは、前記パワー管理モードをパワーセービングモードに設定した受信装置及び前記パワー管理モードを前記パワーセービングモードに設定していない受信装置の両方で復号化されるように生成され得る。
前記受信装置の通信方法は、前記ＴＸＯＰ設定フレームに基づいて前記受信装置が前記ストリームを受信することができるか否かを判断するステップと、前記判断結果に基づいて前記ＴＸＯＰ設定フレームに対する応答フレームを送信するステップと、を更に含み得る。
前記受信装置の通信方法は、前記指示子に基づき該当ストリームの受信を終了した後、又は該当ストリームに対するブロックＡＣＫ（Ｂｌｏｃｋ  ＡＣＫ）を送信した後に前記ＴＸＯＰデュレーションのうちの残りの時間に前記受信装置の動作状態をスリープ状態に保持するステップを更に含み得る。
【０００６】
上記目的を達成するためになされた本発明の一態様による送信装置の通信方法は、チャネルに対する送信機会（ＴＸＯＰ：Ｔｒａｎｓｍｉｓｓｉｏｎ  Ｏｐｐｏｒｔｕｎｉｔｙ）を取得するステップと、パワー管理モードとしてアクティブモードを有する受信装置に対応するストリームを保持するステップと、前記受信装置のそれぞれの動作状態を決定するために用いられる情報を送信するステップと、前記ＴＸＯＰ中に前記受信装置のうちの少なくとも１つに前記ストリームを同時に送信するステップと、を有する。
【０００７】
前記受信装置のそれぞれの動作状態を決定するために用いられる情報は、前記受信装置のそれぞれを含むグループのグループＩＤ、前記ＴＸＯＰ中に前記送信装置から前記受信装置のそれぞれに送信されるデータストリームが存在するか否かに関する情報、前記受信装置のそれぞれに送信される追加的なストリームが存在するか否かを示す情報のうちの少なくとも１つを含み得る。
前記送信装置の通信方法は、前記パワー管理モードとしてアクティブモードを有する受信装置のうちのパワーセービングモードで作動しようとする受信装置から前記パワー管理モードがパワーセービングモードに設定されたフレームを受信するステップと、前記受信装置に、前記パワー管理モードが前記パワーセービングモードに設定されたフレームに応答するＡＣＫ（ａｃｋｎｏｗｌｅｄｇｍｅｎｔ）を送信するステップと、を更に含み得る。
前記送信装置の通信方法は、予め設定された条件を満たす受信装置が前記ＴＸＯＰの残りの時間に動作状態をスリープ状態に保持するように前記受信装置に対応するストリームの送信を停止するステップを更に含み得る。
前記予め設定された条件は、第１条件、第２条件、及び第３条件を含み、前記受信装置がグループＩＤのグループに含まれていない場合、前記第１条件が満たされ、前記受信装置が前記グループＩＤのグループに含まれ、前記ＴＸＯＰ中に前記送信装置から前記受信装置に送信されるデータストリームがない場合、前記第２条件が満たされ、前記ＴＸＯＰ中に前記受信装置に送信される追加的なストリームがこれ以上存在しないことを示す指示子を受信した場合、前記第３条件が満たされ得る。
前記送信装置の通信方法は、前記受信装置が前記第１条件及び前記第２条件に基づいて該受信装置の動作状態を変更するか否かを選択的に決定できるようにするイネーブリングビットが含まれるフレームを送信するステップを更に含み得る。
前記送信装置の通信方法は、前記ＴＸＯＰ中に前記受信装置に送信される追加的なストリームがこれ以上存在しないことを示す指示子を生成するステップを更に含み得る。
前記指示子を生成するステップは、前記受信装置に送信されるパケットのプリアンブル又は前記受信装置に送信されるＭＡＣフレームのヘッダを用いて前記受信装置に送信される追加的なストリームがこれ以上存在しないことを示す指示子を生成するステップであり得る。
前記送信装置の通信方法は、前記ＴＸＯＰの残りの時間の間に受信状態にするための送信するストリームが発生した場合、前記スリープ状態にある受信装置に送信するストリームをバッファリングするステップを更に含み得る。
前記送信装置の通信方法は、前記受信装置に、前記ＴＸＯＰデュレーションに関連する情報を含むＴＸＯＰ設定フレームを送信するステップを更に含み、前記ＴＸＯＰ設定フレームは、前記パワー管理モードをパワーセービングモードに設定した受信装置及び前記パワー管理モードを前記パワーセービングモードに設定していない受信装置の両方で復号化されるように生成され得る。
【０００８】
本発明の一態様によると、送信機会（ＴＸＯＰ：Ｔｒａｎｓｍｉｓｓｉｏｎ  Ｏｐｐｏｒｔｕｎｉｔｙ）中にパワー管理モードをパワーセービングモードに設定するステップと、送信装置から送信された情報を受信するステップと、前記送信装置から送信された情報に基づいて予め設定された条件が満たされるか否かを判断することによって前記受信装置の動作状態を決定するステップと、を有し、前記少なくとも１つの受信装置に対応するストリームは、前記ＴＸＯＰ中に前記送信装置から同時に送信される受信装置の通信方法を、コンピュータに実行させるためのプログラム命令を記録したコンピュータ読み取り可能な記録媒体が提供される。
【０００９】
上記目的を達成するためになされた本発明の一態様による受信装置は、送信装置の送信機会（ＴＸＯＰ：ｔｒａｎｓｍｉｓｓｉｏｎ  ｏｐｐｏｒｔｕｎｉｔｙ）中に作動するパワー管理モードを決定することのできる受信装置であって、前記受信装置がパワーセービングモード（ＴＸＯＰ  ＰＳ  ｍｏｄｅ）及びノン−パワーセービングモード（ｎｏｎ−ＴＸＯＰ  ＰＳ  ｍｏｄｅ）で作動するか否かを決定する制御部と、前記受信装置が前記パワーセービングモード又は前記ノン−パワーセービングモードで作動しようとするか否かを示すフレームを前記送信装置に送信する送信部と、を備える。
【００１０】
前記制御部は、前記受信装置が前記パワーセービングモードで作動するか否かの決定に応答し、前記パワーセービングモードで作動しようとする前記受信装置を示す前記フレームのパワー管理フィールドを設定し得る。
前記フレームはアソシエーション要求フレーム（ａｓｓｏｃｉａｔｉｏｎ  ｒｅｑｕｅｓｔ  ｆｒａｍｅ）であり、前記制御部は、前記受信装置が前記パワーセービングモード（ＴＸＯＰ  ＰＳ  ｍｏｄｅ）又は前記ノン−パワーセービングモード（ｎｏｎ−ＴＸＯＰ  ＰＳ  ｍｏｄｅ）で作動しようとするか否かを示す前記アソシエーション要求フレームの性能／サポート（ｃａｐａｂｉｌｉｔｉｅｓ／ｓｕｐｐｏｒｔ）フィールドを設定し得る。
前記受信装置は、送信部から送信された前記アソシエーション要求フレームに応答して前記送信装置からＡＣＫ（ａｃｋｎｏｗｌｅｄｇｍｅｎｔ）を受信する受信部を更に備え得る。
前記制御部は、前記受信部が前記送信装置から前記ＡＣＫを受信した場合、前記受信装置の前記パワー管理モードを前記パワーセービングモード（ＴＸＯＰ  ＰＳ  ｍｏｄｅ）に設定し、前記制御部は、前記受信部が前記送信装置から前記ＡＣＫを受信しない場合、前記受信装置の前記パワー管理モードを前記ノン−パワーセービングモード（ｎｏｎ−ＴＸＯＰ  ＰＳ  ｍｏｄｅ）に設定し得る。
【００１１】
上記目的を達成するためになされた本発明の一態様による送信装置は、送信機会（ＴＸＯＰ：ｔｒａｎｓｍｉｓｓｉｏｎ  ｏｐｐｏｒｔｕｎｉｔｙ）中に複数の端末にデータを送信する送信装置であって、パワー管理モードがパワーセービングモード（ＴＸＯＰ  ＰＳ  ｍｏｄｅ）に設定されたフレームを受信する受信部と、前記送信装置が前記パワーセービングモードをサポートできるか否かを決定する制御部と、前記送信装置が前記パワーセービングモードをサポートできるか否かの決定に応答して、前記受信装置にＡＣＫ（ａｃｋｎｏｗｌｅｄｇｍｅｎｔ）メッセージを送信する送信部と、を備える。
【００１２】
前記フレームはアソシエーション要求フレーム（ａｓｓｏｃｉａｔｉｏｎ  ｒｅｑｕｅｓｔ  ｆｒａｍｅ）であり、前記アソシエーション要求フレームの性能／サポート（ｃａｐａｂｉｌｉｔｉｅｓ／ｓｕｐｐｏｒｔ）フィールドは、前記受信装置がパワーセービングモード（ＴＸＯＰ  ＰＳ  ｍｏｄｅ）で作動しようとすることを示すように設定され得る。
【発明の効果】
【００１３】
本発明によると、アクティブモードで作動する受信装置のうち、パワーセービングモードで作動しようとする受信装置が該当モードに設定されたフレームを送信することによって受信装置がパワーセービングモードへの動作有無を選択することができる。
また、パワーセービングモードで作動する受信装置に対応するストリームが存在しない場合、ＴＸＯＰデュレーションの該当する受信装置の動作状態をスリープ状態に保持することによって受信待機電力を減少させることができる。
また、パワーセービングモードで作動する受信装置が予め設定された条件を満たす場合に、該当する受信装置の動作状態をアウェイク状態からスリープ状態に変更することによって電力消耗を減少させることができる。
【図面の簡単な説明】
【００１４】
【図１】本発明の一実施形態によるＴＸＯＰパワーセービングモードにおける受信装置の動作を示す図である。
【図２】本発明の一実施形態による受信装置の通信方法を示すフローチャートである。
【図３】本発明の一実施形態による送信装置の通信方法を示すフローチャートである。
【図４】本発明の一実施形態による受信装置がパワー管理モードをパワーセービングモードに設定する図である。
【図５】本発明の一実施形態によるＴＸＯＰデュレーション中のフレーム送受信を示す図である。
【図６】本発明の一実施形態によるＴＸＯＰ設定フレーム及びＴＸＯＰデュレーションを示す図である。
【図７】本発明の一実施形態による受信装置を示す図である。
【図８】本発明の一実施形態による送信装置を示す図である。
【発明を実施するための形態】
【００１５】
以下、本発明を実施するための形態の具体例を、図面を参照しながら詳細に説明する。
【００１６】
図１は、本発明の一実施形態によるＴＸＯＰ（Ｔｒａｎｓｍｉｓｓｉｏｎ  Ｏｐｐｏｒｔｕｎｉｔｙ）パワーセービングモードにおける受信装置の動作を示す図である。
【００１７】
アクセスポイント（Ａｃｃｅｓｓ  Ｐｏｉｎｔ：ＡＰ）のような送信装置からデータを受信する１つ又はそれ以上の受信装置（例えば、端末又はＳＴＡ（ｓｔａｔｉｏｎ））は、自身に送信されるパケット（又は、フレーム）を受信するためにアクティブモードを保持する。例えば、受信装置は移動端末であり、送信装置はアクセスポイントである。受信装置はアクティブモードに留まる。
【００１８】
例えば、受信装置は、自身に送信されるパケットがない場合でも、他の端末に送信されるパケットに対するオーバーヒヤリング（Ｏｖｅｒｈｅａｒｉｎｇ）を行うためにアクティブモードに留まる。ここで記述した受信装置は、例えば、ＩＥＥＥ  ８０２．１１ａｃ、ＩＥＥＥ  ８０２．１１ｎなどのＩＥＥＥ  ８０２．１１プロトコルなどの様々なプロトコルをサポートする。
【００１９】
該当する受信装置に対応するデータ送信がない場合、又は受信装置に対するデータの送信が終了した場合に、該当する受信装置の動作モードを調節することによって受信待機時間及び受信待機電力を節減することができる。例えば、受信装置は、アウェイク状態（ａｗａｋｅ  ｓｔａｔｅ）からスリープ状態（ｌｅｅｐ  ｓｔａｔｅ）又はドーズ状態（ｄｏｚｅ  ｓｔａｔｅ）に転換される。
【００２０】
図１を参照すると、受信装置のパワー管理モード（Ｐｏｗｅｒ  Ｍａｎａｇｅｍｅｎｔ  Ｍｏｄｅ：ＰＭ  Ｍｏｄｅｓ）は、アクティブモード（Ａｃｔｉｖｅ  Ｍｏｄｅ）１１０とパワーセーブモード（ＰＳ  Ｍｏｄｅ）１２０に分類される。
【００２１】
アクティブモード１１０にある間、受信装置は、受信装置がアウェイクに留まるノン−ＴＸＯＰパワーセービングモード（Ｎｏｎ−ＴＸＯＰ  ＰＳ  Ｍｏｄｅ）、及び受信装置がアウェイク状態（Ａｗａｋｅ  ｓｔａｔｅ）１５０とドーズ状態（Ｄｏｚｅ  ｓｔａｔｅ）１６０との間で切り替えられるＴＸＯＰパワーセービングモード（ＴＸＯＰ  ＰＳ  Ｍｏｄｅ）の２つのパワー管理モードに進入する。
【００２２】
アクティブモード１１０は、受信装置が送信装置とデータを送受信するために継続して動作中にある状態である。一方、パワーセーブモード１２０は、該当する受信装置が全く動作を行っていないか、又は全体電力消費を減らす状態（例えば、アイドル状態）である。
【００２３】
例えば、アクティブモード１１０で作動する受信装置は、ノン−ＴＸＯＰパワーセービングモード１３０で作動する場合とＴＸＯＰパワーセービングモード１４０で作動する場合とに分類される。
【００２４】
ノン−ＴＸＯＰパワーセービングモード１３０で作動する受信装置は、電力節減のための別途の動作を行わずに継続してアウェイク状態（Ａｗａｋｅ  Ｓｔａｔｅ）を保持する。従って、自身に送信されるパケットの受信を待機する受信待機時間中に継続して電力を消耗する。
【００２５】
ＴＸＯＰパワーセービングモード１４０で作動する受信装置は、予め設定された条件が満たされるか否かに応じて、動作状態をアウェイク状態（Ａｗａｋｅ  Ｓｔａｔｅ）又はスリープ状態（ｌｅｅｐ  Ｓｔａｔｅ）（又は、ドーズ状態（Ｄｏｚｅ  Ｓｔａｔｅ））に変更する。
【００２６】
例えば、予め設定された条件は、送信装置から受信したフレームのプリアンブルに含まれるグループＩＤのグループの中に該当する受信装置のＩＤが含まれていない場合に満たされる。他の例として、予め設定された条件は、該当する受信装置のＩＤがグループＩＤのグループに含まれているが、受信したフレームのＶＨＴ−ＳＩＧ（ｖｅｒｙ  ｈｉｇｈ  ｔｈｒｏｕｇｈｐｕｔ  ｓｉｇｎａｌ）フィールドに含まれるＮＳＴＳ（Ｎｕｍｂｅｒ  ｏｆ  ｓｔａｔｅ  ｔｉｍｅ  ｓｐａｃｅ）が送信機会（ＴＸＯＰ）中に受信装置に送信されるデータを有しない送信装置を示すために「０」に設定される場合に満たされる。他の例として、予め設定された条件は、受信したフレームのＭＡＣ（Ｍｅｄｉａ  Ａｃｃｅｓｓ  Ｃｏｎｔｒｏｌ）ヘッダに含まれるＭＤＢ（Ｍｏｒｅ  Ｄａｔａ  Ｂｉｔ）が「０」である場合等に満たされる。
【００２７】
例えば、受信したフレームのＶＨＴ−ＳＩＧフィールドに含まれるＮＳＴＳが「０」である条件は、該当する受信装置に対応するデータ又はストリームが存在しないことを意味する。上述した例として、ビット値は単に一実施形態として記載したものであり、その他のビット値でも用いられる。
【００２８】
また、受信したフレームのＭＡＣヘッダに含まれるＭＤＢが「０」である条件は、ＴＸＯＰ中に送信されなければならない該当する受信装置に対応するストリームがこれ以上存在しないこと、即ち該当する受信装置に対応するストリームの送信が完了したことを意味する。
【００２９】
ここで、グループＩＤ（ｇｒｏｕｐ  ＩＤ）は受信装置がグループに含まれることを示し、ＮＳＴＳフィールドは送信装置が受信装置に送信するデータがあることを示す。ＭＡＣヘッダに含まれるＭＤＢは、ＴＸＯＰ中に送信装置が受信装置にデータ送信を完了したことを示すために設定される。
【００３０】
上述した条件が満たされた受信装置は、アウェイク状態からスリープ状態（又は、ドーズ状態）に動作状態を変更することによって、ＴＸＯＰデュレーション（ｄｕｒａｔｉｏｎ）のうちの残りの時間に受信待機電力を節減することができる。ＴＸＯＰデュレーションは、送信装置が取得したチャネルに対する送信機会（ＴＸＯＰ）に対応する時間区間である。
【００３１】
例えば、ＴＸＯＰパワーセービングモード１４０で作動する受信装置は、予め設定された条件に応じてＴＸＯＰデュレーション中に動作状態を変更することによって、受信待機電力及び受信装置の消費電力を節減することができる。以下、「パワーセービングモード」はＴＸＯＰパワーセービングモード１４０を言う。
【００３２】
受信装置は、ＭＡＣヘッダのＶＨＴ制御フィールドを用いて端末のパワー管理モードについて送信装置に通知する。例えば、パワー管理モードは、パワーセーブモード（ＰＳ  Ｍｏｄｅ）１２０、ノン−パワーセービングモード（Ｎｏｎ−ＴＸＯＰ  ＰＳ  Ｍｏｄｅ）１３０、又はパワーセービングモード（ＴＸＯＰ  ＰＳ  ｍｏｄｅ）１４０である。
【００３３】
受信装置は、受信装置がどのパワーセービングモードにあるかを示すために、制御フィールドの少なくとも１つのビットを用いる。
【００３４】
図２は、本発明の一実施形態による受信装置の通信方法を示すフローチャートである。
【００３５】
例えば、受信装置は、アクティブモードで作動する受信装置のうちのいずれか１つの受信装置であり、ＴＸＯＰの間、受信装置に対応するストリームは送信装置から同時に送信される。
【００３６】
受信装置は、自身がパワーセービングモードで作動するか否かを判断する（２１０）。受信装置は、自身がパワーセービングモードで作動する場合、送信装置にパワー管理モードをパワーセービングモードに設定したフレームを送信する（２２０）。
【００３７】
パワー管理モードをパワーセービングモードに設定する方法として、送信装置に送信するフレームでパワーセービングモードの使用有無を示すフィールド（ｆｉｅｌｄ）又はビット（ｂｉｔ）を一定の値に設定することを例にする。
【００３８】
受信装置は、パワーセービングモードで作動しない場合（例えば、図１のノン−ＴＸＯＰパワーセービングモード１３０で作動しようとする場合）、動作状態をアウェイク状態に保持する（２８０）。
【００３９】
受信装置は、送信装置からパワーセービングモードに設定したフレームに応答したＡＣＫを受信したか否かを判断する（２３０）。
【００４０】
ステップ２３０において送信装置からＡＣＫを受信することができない場合、受信装置は動作状態をアウェイク状態に保持する（２８０）。受信装置は、送信装置からＡＣＫを受信することができない場合、パワーセービングモードで動作しない場合もある。
【００４１】
ステップ２３０において送信装置からＡＣＫを受信した受信装置は、ＴＸＯＰデュレーションでのパワー管理モードをパワーセービングモードに設定する（２４０）。
【００４２】
受信装置は、送信装置からＴＸＯＰデュレーションに関連する情報を含むＴＸＯＰ設定フレーム（ＴＸＯＰ  ｓｅｔｔｉｎｇ  ｆｒａｍｅ）を受信する（２５０）。
【００４３】
例えば、ＴＸＯＰ設定フレームは、パワー管理モードをパワーセービングモードに設定した受信装置及びパワー管理モードをパワーセービングモードに設定しなかった受信装置の両方が復号化されるように生成される。
【００４４】
受信装置がＴＸＯＰ設定フレームを受信する区間は、必ずしも上記の順序のように制限されることなく、送信装置との通信を行う過程で変更され得る。
【００４５】
ここで、受信装置は、送信装置から受信したＴＸＯＰ設定フレームに基づいて自身（ここでは、受信装置）が該当ストリームを受信する受信装置であるか否かを判断する。そして、受信装置は、判断結果に応じて送信装置にＴＸＯＰ設定フレームに対する応答フレームを送信する。
【００４６】
受信装置は、送信装置から送信された情報に基づいて予め設定された条件が満たされるか否かを判断する（２６０）。受信装置は、予め設定された条件が満たされるか否かを判断することによって、受信装置の動作状態を決定する。
【００４７】
例えば、送信装置から送信される情報は、受信装置を含むグループのグループＩＤ（Ｇｒｏｕｐ  ＩＤ）、受信装置に対応するデータストリームがＴＸＯＰ中に送信装置から送信されるか否かを示す情報、及び受信装置に送信される追加的なストリームがこれ以上存在しないことを示す情報のうちの少なくとも１つを含む。
【００４８】
予め設定された条件は、例えば、第１条件、第２条件、及び第３条件を含む。これらの条件のいずれか１つを満足した場合、受信装置は、送信装置のＴＸＯＰの残りの時間中にアウェイク状態（ａｗａｋｅ  ｓｔａｔｅ）からドーズ状態（ｄｏｚｅ  ｓｔａｔｅ）に転換される。
【００４９】
例えば、受信装置が受信装置の属するセル内の受信装置の集合で構成されたグループＩＤ（Ｇｒｏｕｐ  ＩＤ）のグループに含まれていない場合に第１条件が満たされ、受信装置がグループＩＤのグループに含まれているが受信装置に対応するストリームがＴＸＯＰ中に送信装置から送信されない場合に第２条件が満たされ、ＴＸＯＰの残りの時間に受信装置に送信される追加的なストリームがこれ以上存在しないことを示す指示子を受信した場合に第３条件が満たされる。
【００５０】
ここで、送信装置はＴＸＯＰ中に受信装置にデータストリームを送信し、送信装置が受信装置にデータストリームの送信を完了した時に、送信装置は受信装置に指示子（ｉｎｄｉｃａｔｏｒ）を用いて送信が完了したことを通知する。これによって、受信装置はＴＸＯＰの残りの時間中にスリープ状態に進入（ｅｎｔｅｒ）する。
【００５１】
受信装置は、送信装置から送信された各フレームに含まれるイネーブリングビット（ｅｎａｂｌｉｎｇ  ｂｉｔ）を用いて上述の第１条件及び第２条件に基づいて受信装置の動作状態を変更するか否かを選択的に決定する。
【００５２】
ステップ２６０において、受信装置は、送信装置から送信された情報に基づいて予め設定された条件が満たされた場合、受信装置の動作状態をアウェイク状態からスリープ状態に変更する（２７０）。受信装置は、ＴＸＯＰの残りの時間にスリープ状態を保持することによって、受信待機電力及びデータ受信のための電力消耗を減らすことができる。
【００５３】
ステップ２６０において予め設定された条件が満たされない場合、受信装置はＴＸＯＰ中の動作状態をアウェイク状態に保持する（２８０）。
【００５４】
図３は、本発明の一実施形態による送信装置の通信方法を示すフローチャートである。
【００５５】
送信装置は、パワー管理モードとしてアクティブモードを有する受信装置のうち、パワーセービングモードで作動しようとする受信装置からパワー管理モードがパワーセービングモードに設定されたフレームを受信する（３１０）。
【００５６】
送信装置は、受信装置にパワーセービングモードに設定されたフレームに応答するＡＣＫを送信する（３２０）。
【００５７】
送信装置は、チャネルに対する送信機会（Ｔｒａｎｓｍｉｓｓｉｏｎ  Ｏｐｐｏｒｔｕｎｉｔｙ：ＴＸＯＰ）を取得する（３３０）。
【００５８】
送信装置は、パワー管理モードとしてアクティブモードを有する受信装置に対応するストリームを保持する（３４０）。
【００５９】
送信装置は、受信装置のそれぞれの動作状態を決定するために用いられる情報を送信する（３５０）。
【００６０】
例えば、受信装置のそれぞれの動作状態を決定するために受信装置で用いられる情報は、送信装置がデータを送信するセルに対応する受信装置のそれぞれを含むグループのグループＩＤ、受信装置のそれぞれに対応するストリームがＴＸＯＰ中に送信装置から送信されるか否かを示す情報、及びＴＸＯＰ中に受信装置に送信される追加的なストリームが存在するか否かを示す情報のうちの少なくとも１つを含む。
【００６１】
送信装置は、ＴＸＯＰ中に受信装置のうちの少なくとも１つにストリームを同時に送信する（３６０）。
【００６２】
ここで、「同時に」送信するという意味は、空間的（ｐａｔｉａｌ）に同時に送信するか、又は多重ユーザによるＭＩＭＯ（ｍｕｌｔｉｐｌｅ  ｉｎｐｕｔ  ｍｕｌｔｉｐｌｅ  ｏｕｔｐｕｔ）通信を用いることを意味し、少なくとも１つの端末のそれぞれに対応するストリームの送信が必ずしも同時に始まって同時に終わることを意味するものではない。
【００６３】
送信装置は、動作状態を決定するために用いられる情報に基づいて予め設定された条件を満たす受信装置がＴＸＯＰデュレーションのうちの残りの時間に動作状態をスリープ状態に保持するように、受信装置に対応するストリームを送信しないこともある。
【００６４】
例えば、動作状態を決定するために用いられる情報及びストリームは同一のフレーム内に含まれる。
【００６５】
予め設定された条件は、例えば、第１条件、第２条件、及び第３条件を含み、受信装置が、受信装置が属するセル内の受信装置の集合で構成されたグループＩＤのグループに含まれていない場合に第１条件が満たされ、受信装置がグループＩＤのグループに含まれているが、受信装置に対応するストリームがＴＸＯＰ中に送信装置から送信されない場合に第２条件が満たされ、ＴＸＯＰの残りの区間に受信装置に送信される追加的なストリームがこれ以上存在しないことを示す指示子を受信した場合に第３条件が満たされる。
【００６６】
グループＩＤのグループは、受信装置が属するセル内の受信装置の集合で構成される。
【００６７】
送信装置は、受信装置が上述の第１条件及び第２条件に基づいて動作状態を変更するか否かを選択的に決定するイネーブリングビット（ｅｎａｂｌｉｎｇ  ｂｉｔ）が含まれるフレームを送信する。
【００６８】
送信装置は、ＴＸＯＰ中に受信装置に送信される追加的なストリームがこれ以上存在しないことを示す指示子を生成する（３７０）。
【００６９】
例えば、ステップ３７０において、送信装置は、受信装置に送信されるパケットのプリアンブル又は受信装置に送信されるＭＡＣフレームのヘッダを用いて、受信装置に送信される追加的なストリームがこれ以上存在しないことを示す指示子を生成する。指示子は、例えば、ＭＡＣヘッダのＭＤＢ（Ｍｏｒｅ  Ｄａｔａ  Ｂｉｔ）である。
【００７０】
送信装置は、ＴＸＯＰデュレーションの残りの時間に受信装置に送信するストリームをバッファリングする（３８０）。
【００７１】
例えば、ＴＸＯＰは予想外の様々な理由によって突然中断することがあり、受信装置は中断されたＴＸＯＰの残りの時間で未だスリープ状態にある。従って、送信装置は受信装置に送信しなければならないデータをバッファする。
【００７２】
例えば、受信装置がパワーセービングモードで作動しようとする場合、受信装置は、送信装置に、パワー管理モードがパワーセービングモードに設定されたフレームを送信する。送信装置は、フレームに応答して受信装置にＡＣＫを送信する。
【００７３】
これに応答して、送信装置は、受信装置に、グループＩＤ（Ｇｒｏｕｐ  ＩＤ）、受信装置のためのデータストリームが存在するか否か、及び受信装置のための追加的なデータストリームが存在するか否かのようなＴＸＯＰに関する情報を送信する。
【００７４】
受信装置は、この情報に基づいて予め決定された条件が満たされるか否かを決定する。ここで、この情報は送信装置から送信されるため、送信装置もまた受信装置のそれぞれで予め決定された条件が満たされるか否かが分かる。
【００７５】
従って、受信装置は、受信装置がスリープ状態に進入するという追加情報を送信しなくても、送信装置は受信装置がスリープ状態に進入することを認識することができる。
【００７６】
図４は、本発明の一実施形態による受信装置がパワー管理モードをパワーセービングモード（ＴＸＯＰ  ＰＳ  ｍｏｄｅ）に設定する図である。
【００７７】
以下、ＳＴＡは、例えば、受信装置、端末、或いはステーション（ｓｔａｔｉｏｎ）などであり、ＡＰは、例えば、送信装置、アクセスポイント（Ａｃｃｅｓｓ  Ｐｏｉｎｔ）などである。
【００７８】
パワーセービングモードで作動しようとするＳＴＡ１（４０３）は、ＡＰ１（４０１）にパワーセービングモード（ＴＸＯＰ  ＰＳ  ｍｏｄｅ）を「１」に設定したフレーム４１１を送信する。ここで、パワーセービングモードを「１」に設定することは、該当するＳＴＡが自身のパワー管理モードをパワーセービングモードに設定することを意味する。
【００７９】
該当するＳＴＡは、ＳＴＡがパワーセービングモードで作動することを示すＳＴＡのパワー管理モードを設定するために、例えばアソシエーション要求フレーム（ａｓｓｏｃｉａｔｉｏｎ  ｒｅｑｕｅｓｔ  ｆｒａｍｅ）の性能／サポート（ｃａｐａｂｉｌｉｔｉｅｓ／ｓｕｐｐｏｒｔ）フィールドを用いる。
【００８０】
ＳＴＡ１（４０３）は、ＡＰ１（４０１）から該当するフレーム（ここでは、フレーム４１１）に応答したＡＣＫ４１３を受信する。
【００８１】
ＳＴＡ１（４０３）は、ＡＣＫ４１３を受信した後、パワーセービングモードで作動する。
【００８２】
ＳＴＡ２（４０５）も同様に、パワーセービングモードが「１」に設定されたフレーム４１５をＡＰ１（４０１）に送信し、ＡＰ１（４０１）からＡＣＫ４１７を受信した後にパワーセービングモードで作動する。
【００８３】
ＳＴＡ１（４０３）及びＳＴＡ２（４０５）は、パワーセービングモード設定（ＴＸＯＰ  ＰＳ  ｍｏｄｅ  ｓｅｔｔｉｎｇ）区間４１０で、ＡＰ１（４０１）と上述した動作を行ってパワーセービングモードで作動するように設定する。
【００８４】
その後、ＡＰ１（４０１）とＳＴＡ１（４０３）、ＳＴＡ２（４０５）は、ＴＸＯＰデュレーション設定（ＴＸＯＰ  ｄｕｒａｔｉｏｎ  ｓｅｔｔｉｎｇ）区間４３０で、ＲＴＳ（Ｒｅｑｕｅｓｔ  Ｔｏ  Ｓｅｎｄ：送信要求）フレーム４３１とＣＴＳ（Ｃｌｅａｒ  Ｔｏ  Ｓｅｎｄ：送信確認）フレーム４３３を用いてＴＸＯＰデュレーション４５０を設定する。
【００８５】
ＴＸＯＰデュレーション設定区間４３０は、後述するＴＸＯＰ設定区間（ＴＸＯＰ  ｓｅｔｔｉｎｇ  ｐｅｒｉｏｄ）である。
【００８６】
ＲＴＳフレーム４３１とＣＴＳフレーム４３３は、隠れノード問題（ｈｉｄｄｅｎ  ｎｏｄｅ  ｉｓｓｕｅ）として知られたフレーム衝突を防ぐために用いられる。データ送信を所望するノード（ここでは、ＡＰ１（４０１））がＲＴＳフレーム４３１を送信することによってプロセスが始まる。送受信中である他の信号がなくて送信が可能な無線環境の場合、目的地ノード（ここでは、ＳＴＡ１（４０３））は、この信号に対してＣＴＳフレーム４３３を送って応答する。
【００８７】
ＲＴＳフレーム４３１又はＣＴＳフレーム４３３を受信した他の全てのノードは、所定時間中のデータ送信を制限することによって隠れノードの問題を解決することができる。送信を制限する所定時間はそれぞれＲＴＳフレーム４３１とＣＴＳフレーム４３３内に含まれる。
【００８８】
図５は、本発明の一実施形態によるＴＸＯＰデュレーション中のフレーム送受信を示す図である。
【００８９】
図５を参照すると、いずれか１つのセル又はＢＳＳ（Ｂａｓｉｃ  Ｓｅｒｖｉｃｅ  Ｓｅｔ）内には、ＡＰ１（５０１）と６個のＳＴＡ、例えばＳＴＡ１（５０３）、ＳＴＡ２（５０５）、ＳＴＡ３（５０７）、ＳＴＡ４（５０９）、ＳＴＡ５（５１１）、及びＳＴＡ６（５１３）が存在し、各ＳＴＡは下記の表１の通りである。
【００９０】
【表１】
2013522947.tif 000003
【００９１】
表１を参照すると、６個のＳＴＡのうちのＳＴＡ１（５０３）、ＳＴＡ２（５０５）、及びＳＴＡ３（５０７）は、パワーセービングモード（ＴＸＯＰ  ＰＳ  ｍｏｄｅ）にある端末である。
【００９２】
この例で、ＡＰ１（５０１）は、ＳＴＡ１（５０３）、ＳＴＡ２（５０５）、ＳＴＡ４（５０９）、ＳＴＡ５（５１１）、及びＳＴＡ６（５１３）に送信するデータがある。
【００９３】
図５を参照すると、フレーム１（５２０）は、プリアンブル５２１に含まれるグループＩＤ（Ｇｒｏｕｐ  ＩＤ）のグループに、全てのＳＴＡ（ＳＴＡ１〜ＳＴＡ６）を含む。従って、フレーム１（５２０）を受信した後、第１条件はいかなるＳＴＡに対しても満たされずスリープ状態にならない。
【００９４】
フレーム１（５２０）は、ＳＴＡ１（５０３）とＳＴＡ４（５０９）に送信されるデータ５２３、５２５を含み、ＳＴＡ１（５０３）のＭＤＢは「０」に設定される。
【００９５】
ＳＴＡ１（５０３）のＭＤＢが「０」に設定されることは、フレーム１（５２０）の後にＡＰ１（５０１）からＳＴＡ１（５０３）に追加的に送信されるデータがないことを示す。従って、ＳＴＡ１（５０３）は、ＡＰ１（５０１）でＢｌｏｃｋ  Ａｃｋ（ＢＡ）５９０を送信した後にＴＸＯＰの最後までパワーセービングモードで作動することによって待機電力の消耗を減らすことができる。パワーセービング状態の一例として、スリープ状態又はドーズ状態が挙げられる。
【００９６】
ＳＴＡ１（５０３）は、ＭＤＢにより該当ストリームの受信を終了した後、又は該当ストリームに対するブロックＡＣＫ（Ｂｌｏｃｋ  ＡＣＫ）を送信した後、ＴＸＯＰデュレーションの残りの時間にＳＴＡ１（５０３）の動作状態をスリープ状態に保持する。
【００９７】
フレーム２（５４０）は、プリアンブル５４１に含まれるグループＩＤのグループにＳＴＡ２（５０５）、ＳＴＡ３（５０７）、ＳＴＡ４（５０９）を含み、ＳＴＡ２（５０５）とＳＴＡ４（５０９）に送信されるデータ５４３、５４５を含む。
【００９８】
パワーセービングモード（ＴＸＯＰ  ＰＳ  ｍｏｄｅ）にあるＳＴＡ３（５０７）の場合、たとえＡＰ１（５０１）から受信するデータがなくても、グループＩＤのグループに含まれているためスリープ状態になれない。即ち、図５に示す実施形態において、ＳＴＡは、第１及び第３条件を考慮するが、第２条件は考慮しない。
【００９９】
ＳＴＡ２（５０５）は、フレーム２（５４０）でＭＤＢが「１」であるため、依然としてアウェイク状態に留まる。
【０１００】
ＳＴＡ４（５０９）は、フレーム２（５４０）でＭＤＢが「０」であるが、パワーセービングモードを使用しないＳＴＡである。従って、ＳＴＡ４（５０９）は、ＡＰ１（５０１）にフレーム１（５２０）とフレーム２（５４０）に応答するＢＡ５９３、５９４を送信した後にもパワーセービングを行うことなく、継続してアウェイク状態に留まる。
【０１０１】
フレーム３（５６０）は、プリアンブル５６１に含まれるグループＩＤのグループにＳＴＡ２（５０５）とＳＴＡ５（５１１）のＩＤを含み、ＳＴＡ２（５０５）とＳＴＡ５（５１１）に送信されるデータ５６３、５６５を含む。
【０１０２】
パワーセービングモードで動作中であるＳＴＡ３（５０７）は、フレーム４（５８０）のグループＩＤのグループに含まれているため、ＴＸＯＰの残りの時間の間パワーセービングモードで作動する。
【０１０３】
図５の例で、パワーセービングモードで作動するということはスリープ状態に留まることを意味する。
【０１０４】
ＳＴＡ２（５０５）の場合、フレーム３（５６０）でＭＤＢが「０」であるため、データ受信の後にＴＸＯＰデュレーションの残りの時間の間スリープ状態を保持する。
【０１０５】
フレーム４（５８０）は、プリアンブル５８１に含まれるグループＩＤのグループにＳＴＡ５（５１１）とＳＴＡ６（５１３）のＩＤを含み、ＳＴＡ５（５１１）とＳＴＡ６（５１３）に送信されるデータ５２３、５２５を含む。フレーム４（５８０）は、ＳＴＡ３（５０７）も含むが、ＳＴＡ３（５０７）は、既にスリープ状態にあるため、ＴＸＯＰデュレーションの間継続してスリープ状態を維持する。
【０１０６】
ＳＴＡ５（５１１）及びＳＴＡ６（５１３）は、フレーム４（５８０）を受信し、ＡＰ１（５０１）にＢＡ５９６、５９７を送信する。
【０１０７】
ＡＰ１（５０１）は、送信されるフレームのグループＩＤのグループ内のいかなるＳＴＡを含んでもよい。しかし、既にスリープ状態にあるＳＴＡは該当フレームを受信することができない。従って、ＡＰ１（５０１）は該当するＳＴＡがスリープ状態にある間に送信されるデータをバッファリングする。
【０１０８】
図６は、本発明の一実施形態によるＴＸＯＰ設定フレーム（ＴＸＯＰ  ｓｅｔｔｉｎｇ  ｆｒａｍｅ）及びＴＸＯＰデュレーションを示す図である。
【０１０９】
図６を参照すると、ＡＰ１（６０１）はＴＸＯＰ設定区間（ＴＸＯＰ  ｓｅｔｔｉｎｇ  ｐｅｒｉｏｄ）６１０中にＴＸＯＰ設定フレーム（ＴＸＯＰ  ｓｅｔｔｉｎｇ  ｆｒａｍｅ）６２０を送信してチャネルに対する送信機会（ＴＸＯＰ）に対応する時間区間、即ちＴＸＯＰデュレーション６３０を設定する。
【０１１０】
ＴＸＯＰ設定フレーム６２０は、送信機会（ＴＸＯＰ）に対応する時間区間、即ちＴＸＯＰデュレーション６３０を設定するために用いられる情報を含む。ＴＸＯＰ設定フレーム６２０は、セル或いはＢＳＳ内の全てのＳＴＡ（例えば、パワー管理モードをパワーセービングモードに設定した受信装置及びパワー管理モードをパワーセービングモードに設定していない受信装置）が分かる形態で送信される。
【０１１１】
例えば、ＴＸＯＰ設定フレーム６２０は、多重ユーザプリコーディング（ｐｒｅ−ｃｏｄｉｎｇ）方式などを適用せず、スリープ状態にあるＳＴＡのみならずセル内の全てのＳＴＡが該当フレームを復号化できるように生成される。
【０１１２】
ＴＸＯＰ設定フレーム６２０は、パワーセービングモードに対する適用可否、又は該当ＴＸＯＰデュレーション６３０中にフレームの送信対象となるターゲット受信グループの情報を含む。ここで、ターゲット受信グループの情報は、同一のグループＩＤを有する特定グループ及びその特定グループに属するＳＴＡに関する情報である。
【０１１３】
ＴＸＯＰ設定フレーム６２０がターゲット受信グループの情報を含む場合、該当受信グループに含まれていないＳＴＡはＴＸＯＰ設定フレーム６２０の後からＴＸＯＰデュレーション３３０の最後までスリープ状態を保持する。
【０１１４】
ターゲット受信グループに属する１つのＳＴＡ或いは１つ以上のＳＴＡは、ＴＸＯＰ設定フレーム６２０に対して応答フレーム（Ｒｅｓｐｏｎｓｅ  ｆｒａｍｅ）６６０を送信する。例えば、応答フレーム６６０は、ＴＸＯＰ設定フレーム６２０に含まれる内容の一部或いは全体を含む。
【０１１５】
これによって、ＴＸＯＰ設定フレーム６２０を受信することができない隠れノード（ｈｉｄｄｅｎ  ｎｏｄｅ）も、ＴＸＯＰ設定ができるようになる。１つ以上のＳＴＡが応答フレーム６６０を送信する場合、１つ以上のＳＴＡは予め定義された順序と方法によって応答フレーム６６０を送信し、そうではない場合に該当情報はＴＸＯＰ設定フレーム６２０に含まれる。
【０１１６】
ＴＸＯＰ設定区間（ＴＸＯＰ  ｓｅｔｔｉｎｇ  ｐｅｒｉｏｄ）６１０は、チャネルに対する送信機会（ＴＸＯＰ）に対応する時間区間（例えば、ＴＸＯＰデュレーション６３０）を設定するために用いられる。
【０１１７】
一例として、ＴＸＯＰデュレーション６３０を設定するためのＴＸＯＰ設定区間６１０の間に、ＡＰ１（６０１）は、セル内のＳＴＡ１（６０３）、ＳＴＡ２（６０５）、ＳＴＡ３（６０７）、及びＳＴＡ４（６０９）にＴＸＯＰ設定フレーム（ＴＸＯＰ  ｓｅｔｔｉｎｇ  ｆｒａｍｅ）６２０を送信する。
【０１１８】
ＴＸＯＰ設定フレーム６２０は、該当する受信装置がＴＸＯＰデュレーション６３０中に該当ストリームを受信するか、或いはパワーセービングモードで作動するために用いられる。
【０１１９】
例えば、ＴＸＯＰ設定フレーム６２０は、プリアンブル６２１、Ｌ−ＳＩＧ（Ｌｅｇａｃｙ  ＳＩＧｎａｌ  ｆｉｅｌｄ）６２３、及びＴＸＯＰデュレーション６３０を設定するためのＴＸＯＰ設定情報６２５を含む。
【０１２０】
ＳＴＡ１（６０３）、ＳＴＡ２（６０５）、ＳＴＡ３（６０７）、及びＳＴＡ４（６０９）の各々は、ＴＸＯＰ設定情報６２５に基づいて、チャネルに対するＴＸＯＰに対応する時間区間を設定する。
【０１２１】
この例で、ＡＰ１（６０１）からデータを受信するＳＴＡ１（６０３）、ＳＴＡ２（６０５）、及びＳＴＡ３（６０７）は、ＴＸＯＰデュレーション６３０中に無線チャネルにアクセスしてＡＰ１（６０１）からパケット又はフレームを受信する。
【０１２２】
しかし、ＡＰ１（６０１）からデータを受信しないＳＴＡ４（６０９）は、ＴＸＯＰデュレーション６３０中に無線チャネルにアクセスしない。
【０１２３】
ＴＸＯＰ設定情報６２５は、ＳＴＡ１（６０３）、ＳＴＡ２（６０５）、ＳＴＡ３（６０７）、及びＳＴＡ４（６０９）のうちのＡＰ１（６０１）からデータを受信するＳＴＡのグループに関する情報を含む。
【０１２４】
ＳＴＡ１（６０３）、ＳＴＡ２（６０５）、ＳＴＡ３（６０７）、及びＳＴＡ４（６０９）の各々は、ＴＸＯＰ設定情報６２５に基づいてＴＸＯＰデュレーション６３０を設定する。ＴＸＯＰデュレーション６３０中に、データ送信は、ＡＰ１（６０１）とＳＴＡ１（６０３）、ＳＴＡ２（６０５）、ＳＴＡ３（６０７）、及びＳＴＡ２（６０９）との間で、図５を参照して上述した方法と同様の方法を用いて行なわれる。
【０１２５】
ＡＰ１（６０１）からデータを受信するＳＴＡ１（６０３）は、ＴＸＯＰ設定情報６２５に対する応答フレーム６６０をＡＰ１（６０１）に送信する。ＴＸＯＰ設定情報６２５に対する応答フレーム６６０は、複数のＡＰのカバレッジが互いに重なる場合、ＳＴＡ１（６０３）、ＳＴＡ２（６０５）、ＳＴＡ３（６０７）、及びＳＴＡ４（６０９）の混信を防止する。
【０１２６】
図７は、本発明の一実施形態による受信装置を示す図である。
【０１２７】
図７を参照すると、受信装置７００は、データを送信する送信部７１０、受信装置７００の動作を制御する制御部７２０、及びデータを受信する受信部７３０を備える。
【０１２８】
受信装置７００は、送信装置のＴＸＯＰ中に作動するパワー管理モードを決定することができる。例えば、パワー管理モードは、少なくとも１つのノン−パワーセービングモード（ｎｏｎ−ＴＸＯＰ  ＰＳ  ｍｏｄｅ）及びパワーセービングモード（ＴＸＯＰ  ＰＳ  ｍｏｄｅ）を含む。
【０１２９】
制御部７２０は、受信装置７００がパワーセービングモード（ＴＸＯＰ  ＰＳ  ｍｏｄｅ）又はノン−パワーセービングモード（ｎｏｎ−ＴＸＯＰ  ＰＳ  ｍｏｄｅ）で作動するかを決定する。
【０１３０】
受信装置がパワーセービングモードで作動するとの決定に応答して、制御部７２０は、パワーセービングモード（ＴＸＯＰ  ＰＳ  ｍｏｄｅ）で作動しようとする受信装置７００を示すフレームのパワー管理フィールドを設定する。
【０１３１】
例えば、このフレームはアソシエーション要求フレームであり、制御部７２０は、受信装置がパワーセービングモード（ＴＸＯＰ  ＰＳ  ｍｏｄｅ）又はノン−パワーセービングモード（ｎｏｎ−ＴＸＯＰ  ＰＳ  ｍｏｄｅ）で作動しようとするかを示すアソシエーション要求フレームの性能／サポート（ｃａｐａｂｉｌｉｔｉｅｓ／ｓｕｐｐｏｒｔ）フィールドを設定する。
【０１３２】
送信部７１０は、受信装置７００がパワーセービングモード又はノン−パワーセービングモードで作動しようとするかを示すフレームを送信装置に送信する。
【０１３３】
受信装置７００からのフレームの受信に応答して、送信装置は、受信装置７００にａｃｋｎｏｗｌｅｄｇｍｅｎｔ  ｍｅｓｓａｇｅ（ＡＣＫ）を送信する。
【０１３４】
受信部７３０は、送信部７１０から送信されたアソシエーション要求フレームに応答して送信装置からＡＣＫ（ａｃｋｎｏｗｌｅｄｇｍｅｎｔ）を受信する。
【０１３５】
受信部７３０による送信装置からのＡＣＫ受信に応答して、制御部７２０は、受信装置７００のパワー管理モードをパワーセービングモード（ＴＸＯＰ  ＰＳ  ｍｏｄｅ）に設定する。そして、受信部７３０が送信装置からＡＣＫを受信しない場合、制御部７２０は、受信装置のパワー管理モードをノン−パワーセービングモード（ｎｏｎ−ＴＸＯＰ  ＰＳ  ｍｏｄｅ）に設定する。
【０１３６】
図８は、本発明の一実施形態による送信装置を示す図である。
【０１３７】
図８を参照すると、送信装置８００は、データを受信する受信部８１０、送信装置８００を制御する制御部８２０、及びデータを送信する送信部８３０を備える。
【０１３８】
送信装置８００は、ＴＸＯＰ中に少なくとも１つの端末にデータを送信する。
【０１３９】
受信部８１０は、パワー管理モードがパワーセービングモード（ＴＸＯＰ  ＰＳ  ｍｏｄｅ）に設定されたフレームを受信する。
【０１４０】
例えば、受信部８１０は送信装置からフレームを受信する。
【０１４１】
このフレームはアソシエーション要求フレームであり、アソシエーション要求フレームの性能／サポート（ｃａｐａｂｉｌｉｔｉｅｓ／ｓｕｐｐｏｒｔ）フィールドは、受信装置がパワーセービングモード（ＴＸＯＰ  ＰＳ  ｍｏｄｅ）で作動しようとすることを示すために設定される。
【０１４２】
制御部８２０は、送信装置８００がパワーセービングモードをサポートすることが可能か否かを決定する。
【０１４３】
送信装置８００によるパワーセービングモードのサポート可能の決定に応答して、送信部８３０は受信装置にＡＣＫ（ａｃｋｎｏｗｌｅｄｇｍｅｎｔ  ｍｅｓｓａｇｅ）を送信する。
【０１４４】
上記図１〜図６を参照して記述した実施形態は、図７及び図８に記述した受信装置７００及び送信装置８００に同様に適用でき、これによりその他の説明は省略する。
【０１４５】
上述した方法は、多様なコンピュータ手段によって実行が可能なプログラム命令形態で具現され、コンピュータ読み取り可能な記録媒体に記録することができる。コンピュータ読み取り可能な記録媒体は、プログラム命令、データファイル、データ構造などを単独又は組み合わせて含んでもよい。記録媒体に記録されるプログラム命令は、本発明のために特別に設計されて構成されたものや、コンピュータソフトウェア当業者に公知されて使用可能なものであってもよい。コンピュータ読み取り可能な記録媒体の例としては、ハードディスク、フロッピー（登録商標）ディスク、及び磁気テープのような磁気媒体、ＣＤ−ＲＯＭ、ＤＶＤのような光記録媒体、フロプティカルディスク（ｆｌｏｐｔｉｃａｌ  ｄｉｓｋ）のような磁気−光媒体、及びＲＯＭ、ＲＡＭ、フラッシュメモリなどのようなプログラム命令を格納して実行するように特別に構成されたハードウェア装置が含まれる。プログラム命令の例としては、コンパイラによって生成されるような機械語コードだけでなく、インタープリタなどを使用してコンピュータによって実行される高級言語コードを含む。上述したハードウェア装置は、本発明の動作を実行するために１つ以上のソフトウェアモジュールとして作動するように構成されてもよく、その逆も同様である。
【０１４６】
上述したように、本発明は限定された実施形態と図面によって説明したが、本発明は上述した実施形態に限定されるものではなく、本発明が属する分野において通常の知識を有する者であれば、このような記載から多様な修正及び変形が可能である。従って、本発明の範囲は説明した実施形態に限定されて定められてはならず、特許請求の範囲だけでなく、特許請求の範囲と均等なものによって定められなければならない。
【符号の説明】
【０１４７】
１１０    アクティブモード（Ａｃｔｉｖｅ  Ｍｏｄｅ）
１２０    パワーセーブモード（ＰＳ  Ｍｏｄｅ）
１３０    ノン−（ＴＸＯＰ）パワーセービングモード（Ｎｏｎ−ＴＸＯＰ  ＰＳ  Ｍｏｄｅ）
１４０    （ＴＸＯＰ）パワーセービングモード（ＴＸＯＰ  ＰＳ  Ｍｏｄｅ）
１５０    アウェイク状態（Ａｗａｋｅ  ｓｔａｔｅ）
１６０    ドーズ状態（Ｄｏｚｅ  ｓｔａｔｅ）
４０１、６０１    ＡＰ１
４０３、５０３、６０３    ＳＴＡ１
４０５、５０５、６０５    ＳＴＡ２
４１０    パワーセービングモード設定（ＴＸＯＰ  ＰＳ  ｍｏｄｅ  ｓｅｔｔｉｎｇ）区間
４３０    ＴＸＯＰデュレーション設定（ＴＸＯＰ  ｄｕｒａｔｉｏｎ  ｓｅｔｔｉｎｇ）区間
４５０、６３０    ＴＸＯＰデュレーション（ＴＸＯＰ  ｄｕｒａｔｉｏｎ）
５０７、６０７    ＳＴＡ３
５０９、６０９    ＳＴＡ４
５１１    ＳＴＡ５
５１３    ＳＴＡ６
６１０    ＴＸＯ設定区間（ＴＸＯＰ  ｓｅｔｔｉｎｇ  ｐｅｒｉｏｄ）
６２０    ＴＸＯＰ設定フレーム（ＴＸＯＰ  ｓｅｔｔｉｎｇ  ｆｒａｍｅ）
７００    受信装置
７１０、８３０    送信部
７２０、８２０    制御部
７３０、８１０    受信部
８００    送信装置
【図１】
2013522947.tif 000004
【図２】
2013522947.tif 000005
【図３】
2013522947.tif 000006
【図４】
2013522947.tif 000007
【図５】
2013522947.tif 000008
【図６】
2013522947.tif 000009
【図７】
2013522947.tif 000010
【図８】
2013522947.tif 000011
【国際調査報告】
2013522947.tif 000012
2013522947.tif 000013